(57)【要約】【課題】軽量化を図ると共に施工の容易性等を従来工法に比べ更に向上させた、発泡合成樹脂板による塀構築法を得る。【解決手段】地盤を掘削して形成した溝の底部または該底部にコンクリートを打設して形成した基礎コンクリートの上面に、発泡合成樹脂板の底面を接着または嵌着して逆Ｔ字形に成形した基礎スチロールを載置し、該基礎スチロールにおいてその長手方向と平行に前記発泡合成樹脂板の表面と裏面の両側に開けた複数個の保持穴と、前記発泡合成樹脂板においてその底面に近接した下部に開けた複数個の保持穴とが埋設するようにコンクリートを打設した後、該コンクリートの上部より土を戻して溝を埋め固めることにより塀を構築する。前記逆Ｔ字形に成形した発泡合成樹脂板と基礎スチロールとの全面には、コンクリートを打設する前に予め補強用樹脂材を塗布してコーティング処理しておく。【選択図】図６
2017218880.tif 000002
【特許請求の範囲】
【請求項１】
地盤を掘削して形成した溝の底部または該底部にコンクリートを打設して形成した基礎コンクリートの上面に、発泡合成樹脂板の底面を接着または嵌着して逆Ｔ字形に成形した基礎スチロールを載置し、該基礎スチロールにおいてその長手方向と平行に前記発泡合成樹脂板の表面と裏面の両側に開けた複数個の保持穴と、前記発泡合成樹脂板においてその底面に近接した下部に開けた複数個の保持穴とが埋設するようにコンクリートを打設した後、該コンクリートの上部より土を戻して溝を埋め固めることにより塀を構築することを特徴とした、発泡合成樹脂板による塀構築法。
【請求項２】
上記逆Ｔ字形に成形した発泡合成樹脂板と基礎スチロールとの全面には、コンクリートを打設する前に予め補強用樹脂材を塗布してコーティング処理しておくことを特徴とした、請求項１に記載の発泡合成樹脂板による塀構築法。
【発明の詳細な説明】
【技術分野】
【０００１】  本発明は、建築構造物として主に住宅の外周部を囲む塀に関し、特に発泡合成樹脂板を用いて軽量化を図ると共に施工の容易性等を従来工法に比べ更に向上させた、発泡合成樹脂板による塀構築法に関するものである。
【背景技術】
【０００２】  従来、建築構造物として主に住宅の外周部を囲む塀を構築する場合、アルミフェンスやコンクリート板等を支柱に固定して構築する方法や、コンクリートブロック又は石材等をモルタルで接着しながら積み上げて構築する方法等があった。【０００３】  上記従来技術における後者の方法は一般的に普及しているが、該方法によれば塀自体の重量が非常に重いため、災害発生時等において塀が倒壊した場合、塀の近辺にいた人が下敷きとなり怪我や死亡事故の発生につながるなどの二次災害の危険性が非常に高いといった問題点があった。また、コンクリートブロック又は石材等を一つずつモルタルで接着しながら積み上げていく作業には熟練を要し、工期も長く掛かってしまうといった問題点があった。更にはコンクリートブロックの表面に外壁用化粧材を塗布して外装処理を行った場合、経年変化に伴いコンクリートブロックの目地に沿ってクラックが発生してしまい、美観を損ねてしまうといった問題点もあった。【０００４】  上記問題点を解決するため、本願出願人による特開２００５−１２０８１６号公報の発明の名称「発泡合成樹脂板による塀構築法」においては、基礎コンクリートの立上げ部の上面又は捨てコン上に配設したコンクリートブロックの上面に、撓み防止及び耐衝撃性向上のため鉄筋又は鉄パイプを挿通することによる補強手段を具備した発泡合成樹脂板を接着固定すると共に、隣接する発泡合成樹脂板同士も接着固定する。また、必要に応じてラス網を貼付した後、基礎コンクリートの立ち上げ部又はコンクリートブロックの地上部側面と各発泡合成樹脂板の全体に下地処理を行い、更に外装処理として外壁用化粧材の塗布を行うことにより塀を構築する方法が提案された。また、特開２０１３−０３６３１５号公報の発明の名称「発泡合成樹脂板による建物構築法」においては、塀の構築と同様の外壁の構築法に関し、基礎コンクリートの上面に、発泡合成樹脂製の壁パネルを固定するためのパネル嵌合溝を有したＵ字状の基礎部を形成し、該基礎部のパネル嵌合溝内に定尺寸法の壁パネルを挿入して接着又は挟着固定すると共に当該壁パネル同士の側面を接着固定して建物の外壁を構築する方法が提案された。【０００５】
【特許文献１】特開２００５−１２０８１６
【特許文献２】特開２０１３−０３６３１５
【発明の開示】
【発明が解決しようとする課題】
【０００６】  上記特開２００５−１２０８１６号公報に記載の方法は、基礎コンクリートの立上げ部の上面又は捨てコン上にコンクリートブロックを配置し、鉄筋又は鉄パイプを挿通して補強した発泡合成樹脂板を接着固定する方法であり、コンクリートブロックの設置や鉄筋又は鉄パイプを挿通して補強した発泡合成樹脂板を必要とするため、軽量化や施工の容易性等に更なる改良が求められていた。また、上記特開２０１３−０３６３１５号公報に記載の方法は、基礎コンクリートの上面に、発泡合成樹脂製の壁パネルを固定するためのパネル嵌合溝を有したＵ字状の基礎部を形成する必要があるため、前記公報と同様に施工の容易性等に更なる改良が求められていた。【０００７】  本発明は、上記要求を解決するために成されたものであり、建築構造物として主に住宅の外周部を囲む塀に関し、特に発泡合成樹脂板を用いて軽量化を図ると共に施工の容易性等を従来工法に比べ更に向上させた、発泡合成樹脂板による塀構築法を提供することを目的とする。
【課題を解決するための手段】
【０００８】  上記課題を解決すべく、本発明の発泡合成樹脂板による塀構築法は、地盤を掘削して形成した溝の底部または該底部にコンクリートを打設して形成した基礎コンクリートの上面に、発泡合成樹脂板の底面を接着または嵌着して逆Ｔ字形に成形した基礎スチロールを載置し、該基礎スチロールにおいてその長手方向と平行に前記発泡合成樹脂板の表面と裏面の両側に開けた複数個の保持穴と、前記発泡合成樹脂板においてその底面に近接した下部に開けた複数個の保持穴とが埋設するようにコンクリートを打設した後、該コンクリートの上部より土を戻して溝を埋め固めることにより塀を構築する。【０００９】  上記逆Ｔ字形に成形した発泡合成樹脂板と基礎スチロールとの全面には、コンクリートを打設する前に予め補強用樹脂材を塗布してコーティング処理しておく。
【発明の効果】
【００１０】  本発明の発泡合成樹脂板による塀構築法によれば、建築構造物として主に住宅の外周部を囲む塀に関し、発泡合成樹脂板に鉄筋又は鉄パイプを挿通することによる補強手段を具備することもなく軽量化を図ることができ、基礎コンクリートの上面にパネル嵌合溝を有したＵ字状の基礎部を形成することもなく施工することができるため、従来工法に比べ軽量化や施工の容易性等を更に向上させることができるという効果を奏する。
【発明を実施するための最良の形態】
【００１１】  本発明の発泡合成樹脂板による塀構築法を実施するための最良の形態を、図を用いて説明する。【００１２】  図１は本発明の発泡合成樹脂板による塀構築法で使用する第一実施例の基礎スチロールの斜視図であり、図２は本発明の発泡合成樹脂板による塀構築法において、第一実施例の基礎スチロールの上面に発泡合成樹脂板を接着した状態を示した図である。該図においては、地盤を掘削して形成した溝の底部または該底部にコンクリートを打設して形成した基礎コンクリートの上面に、発泡合成樹脂板３の底面を接着して逆Ｔ字形に成形し補強用樹脂材６で全面をコーティング処理した基礎スチロール１を載置し、その上からコンクリートを打設して前記基礎スチロール１と発泡合成樹脂板３とを固定するものである。前記基礎スチロール１にあっては、長手方向と平行に前記発泡合成樹脂板３の表面と裏面の両側に複数個の保持穴２を開け、前記発泡合成樹脂板３にあっては、底面に近接した下部に複数個の保持穴４を開けたものとする。【００１３】  また、図３は本発明の発泡合成樹脂板による塀構築法で使用する第二実施例の基礎スチロールの斜視図であり、図４は本発明の発泡合成樹脂板による塀構築法において、第二実施例の基礎スチロールの上面に発泡合成樹脂板を嵌着した状態を示した図である。該図においては、地盤を掘削して形成した溝の底部または該底部にコンクリートを打設して形成した基礎コンクリートの上面に、発泡合成樹脂板３の底面を基礎スチロール１の上面に設けた嵌合溝５と嵌着して逆Ｔ字形に成形し補強用樹脂材６で全面をコーティング処理した基礎スチロール１を載置し、その上からコンクリートを打設して前記基礎スチロール１と発泡合成樹脂板３とを固定するものである。該第二実施例においても、基礎スチロール１には複数個の保持穴２を開け、発泡合成樹脂板３には複数個の保持穴４を開けたものとする。【００１４】  上記基礎スチロール１に開けた保持穴２は、図１から図４では長方形の穴で示したが、これに限定せず円形等どのような形状であっても構わない。また、発泡合成樹脂板３に開けた保持穴４は、図２及び図４では円形の穴で示したが、これに限定せず四角形等どのような形状であっても構わない。また、その個数も複数個であれば特に限定するものではない。更に図３で示した嵌合溝５の形状や構造も図示したものに限定せずどのような形状や構造であっても構わない。【００１５】  次に、図５は図２のＡ−Ａ断面図で示す発泡合成樹脂板を接着固定した基礎スチロールを基礎コンクリート上に設置した状態の断面図である。該図に示す例では、塀を構築する箇所の地盤７を掘削して溝８を掘り、コンクリートを打設して基礎コンクリート９を形成しておく。その後、前記基礎コンクリート９の上面に発泡合成樹脂板３の底面を接着して逆Ｔ字形に成形し補強用樹脂材６で全面をコーティング処理した基礎スチロール１を載置する。なお、状況によっては、前記基礎コンクリート９を形成せずに掘削した溝８の底部を平坦にならした状態で直接基礎スチロール１を載置しても構わない。【００１６】  次に、図６は図５において基礎スチロールの上部よりコンクリートを打設した状態を示した状態の断面図であり、基礎スチロール１と発泡合成樹脂板３とを強固に固定させると共に溝８内において安定して設置させるため、基礎スチロール１の長手方向と平行に前記発泡合成樹脂板３の表面と裏面の両側に開けた複数個の保持穴２と前記発泡合成樹脂板３の底面に近接した下部に開けた複数個の保持穴４とが埋設するようにコンクリート１０を打設する。その後、前記コンクリート１０の上部より土１１を戻して溝８を埋め固めて基礎スチロール１と発泡合成樹脂板３とを固定する。該方法によれば、コンクリート１０が発泡合成樹脂板３の保持穴４と基礎スチロール１の保持穴２を連通して一体化に固定されるため、基礎スチロール１と発泡合成樹脂板３とを強固に固定することができると共に当該コンクリート１０と土１１の重みで発泡合成樹脂板３を安定して設置することができる。【００１７】  なお、前記逆Ｔ字形に成形した発泡合成樹脂板３と基礎スチロール１の全面には、コンクリート１０を打設する前に予め補強用樹脂材６を塗布してコーティング処理しておく。該補強用樹脂材６は、強度や耐久性および耐候性等に優れたポリウレア樹脂が好適であるが、特に限定するものではない。なお、仕上げ処理としての外壁塗装は適宜行うものとする。【００１８】  以上、本発明の発泡合成樹脂板による塀構築法によれば、強度や耐久性および耐候性等に優れた補強用樹脂材６を全面にコーティング処理した発泡合成樹脂板を使用することにより、発泡合成樹脂板に鉄筋又は鉄パイプを挿通することによる補強手段を具備することもなく軽量化を図ることができ、基礎コンクリート９の上面にパネル嵌合溝を有したＵ字状の基礎部を形成することもなく施工することができるため、従来工法に比べ軽量化や施工の容易性などを更に向上させることができることになる。
【産業上の利用可能性】
【００１９】  上記本発明の発泡合成樹脂板による塀構築法においては、建築構造物として住宅の外周部を囲む塀を主体にして説明したが、門柱や門飾りなど塀に関連するあらゆるものに利用可能である。更に住宅以外にも事務所，店舗，倉庫，カーポートなど塀を必要とするあらゆるものに利用可能である。
【図面の簡単な説明】
【００２０】
【図１】本発明の発泡合成樹脂板による塀構築法で使用する第一実施例の基礎スチロールの斜視図である。
【図２】本発明の発泡合成樹脂板による塀構築法において、第一実施例の基礎スチロールの上面に発泡合成樹脂板を接着した状態を示した図である。
【図３】本発明の発泡合成樹脂板による塀構築法で使用する第二実施例の基礎スチロールの斜視図である。
【図４】本発明の発泡合成樹脂板による塀構築法において、第二実施例の基礎スチロールの上面に発泡合成樹脂板を嵌着した状態を示した図である。
【図５】図２のＡ−Ａ断面図で示す発泡合成樹脂板を接着固定した基礎スチロールを基礎コンクリート上に設置した状態の断面図である。
【図６】図５において基礎スチロールの上部よりコンクリートを打設した状態を示した状態の断面図である。
【符号の説明】
【００２１】１  基礎スチロール
２  保持穴
３  発泡合成樹脂板
４  保持穴
５  嵌合溝
６  補強用樹脂材
７  地盤
８  溝
９  基礎コンクリート
１０  コンクリート
１１  土
【図１】
2017218880.tif 000003
【図２】
2017218880.tif 000004
【図３】
2017218880.tif 000005
【図４】
2017218880.tif 000006
【図５】
2017218880.tif 000007
【図６】
2017218880.tif 000008